(57)【要約】【課題】基礎と埋設物との隙間からのシロアリの侵入を防止でき、かつ、防蟻層の経年劣化も外部から視認できる、メンテナンスの容易な防蟻構造を提供する。【解決手段】基礎１と基礎１を貫通するように埋設された埋設物２（２ａ）との隙間を、基礎１の表面において、第一防蟻層５ａと第二防蟻層５ｂによって二重に塞ぎ、第一防蟻層５ａを基礎１の表面１ａと第二防蟻層５ｂに密着させた防蟻構造とする。シロアリが基礎１と埋設物２（２ａ）との隙間から侵入するのを第一防蟻層５ａと第二防蟻層５ｂによって防止し、上記隙間を塞ぐように第一防蟻層５ａと第二防蟻層５ｂを重ねて基礎１の表面１ａに設けることで、外部からこれらの防蟻層５ａ，５ｂの経年劣化の状態を肉眼で視認可能とし、経年劣化が進んでいれば新しいものに容易に交換できるようにしたため、メンテナンスも容易になる。【選択図】図１
2014074274.tif 000002
【特許請求の範囲】
【請求項１】
基礎と基礎を貫通するように埋設された埋設物との隙間を、基礎の表面において、第一防蟻層と第二防蟻層によって二重に塞ぎ、第一防蟻層を基礎の表面と第二防蟻層に密着させたことを特徴とする防蟻構造。
【請求項２】
第一防蟻層が非加硫型粘着塑性体であることを特徴とする請求項１に記載の防蟻構造。
【請求項３】
基礎と埋設物との隙間から第一防蟻層の端部までの距離を少なくとも５０ｍｍとしたことを特徴とする請求項１又は請求項２に記載の防蟻構造。
【請求項４】
第二防蟻層が硬度４０以上の合成ゴムシートであることを特徴とする請求項１ないし請求項３のいずれかに記載の防蟻構造。
【発明の詳細な説明】
【技術分野】
【０００１】
本発明は、シロアリの侵入を確実に防止でき、且つ、防蟻層の経年劣化も視認できる、メンテナンスの容易な防蟻構造に関する。
【背景技術】
【０００２】
シロアリが建屋の床下に侵入すると、建屋に甚大な被害を与える恐れがあるため、建屋の基礎と該基礎を貫通するように埋設された埋設物（例えば、基礎貫通配管のさや管など）との隙間からシロアリが床下に侵入できないように、万全の防蟻対策を施すことが重要である。
【０００３】
そのような建屋の基礎と埋設物との隙間からのシロアリの侵入を防止する防蟻構造として、コンクリート基礎の止水用弾性体に防蟻剤を含有させた粘着性且つ塑性変形性のシート状物を、基礎貫通管などの埋設物のコンクリート基礎との接触面に配置したものが知られている（特許文献１）。
【先行技術文献】
【特許文献】
【０００４】
【特許文献１】特開２０１０−２４１７１７号公報
【発明の概要】
【発明が解決しようとする課題】
【０００５】
前記特許文献１の防蟻構造は、埋設物のコンクリート基礎との接触面に配置した防蟻剤入りのシート状物によって、コンクリート基礎と埋設物との隙間からシロアリが侵入するのを防止できるものであるが、防蟻剤入りのシート状物が埋設物のコンクリート基礎との接触面に配置されて、その経年劣化の状態を外部から視認することができないため、シート状物の経年劣化に気付かないでシロアリに侵入されてしまう恐れがあった。
【０００６】
また、前記特許文献１の防蟻構造のように、防蟻剤入りのシート状物が埋設物のコンクリート基礎との接触面に配置されていると、経年劣化したシート状物を新しいシート状物に交換する作業が極めて面倒であるため、メンテナンスも容易でないという問題があった。
【０００７】
本発明は上記事情の下になされたもので、その解決しようとする課題は、基礎と埋設物との隙間からのシロアリの侵入を確実に防止でき、かつ、防蟻層の経年劣化も外部から視認できる、メンテナンスの容易な防蟻構造を提供することにある。
【課題を解決するための手段】
【０００８】
上記課題を解決するため、本発明に係る防蟻構造は、基礎と基礎を貫通するように埋設された埋設物との隙間を、基礎の表面において、第一防蟻層と第二防蟻層によって二重に塞ぎ、第一防蟻層を基礎の表面と第二防蟻層に密着させたことを特徴とするものである。
【０００９】
本発明の防蟻構造においては、第一防蟻層が非加硫型粘着塑性体であることが好ましい。そして、基礎と埋設物との隙間から第一防蟻層の端部までの距離を少なくとも５０ｍｍとすることが好ましい。また、第二防蟻層は硬度４０以上の合成ゴムシートであることが好ましい。
【発明の効果】
【００１０】
本発明の防蟻構造では、シロアリが基礎と埋設物との隙間から基礎の表面に沿って侵入するのを、基礎の表面と第二防蟻層に密着させた第一防蟻層によって防ぐことができ、シロアリが基礎と埋設物との隙間から基礎の表面と垂直方向に侵入するのを、第一防蟻層の上に重なって密着する第二防蟻層によって防ぐことができるので、シロアリの侵入を確実に防止することができる。しかも、第一防蟻層と第二防蟻層は、基礎の表面において基礎と埋設物との隙間を塞いでいるため、外部からこれらの防蟻層の経年劣化の状態を肉眼で視認することができ、経年劣化が進んでいることが判れば、劣化したこれらの防蟻層を剥離して新しい防蟻層に簡単に交換することができる。従って、メンテナンスが容易であり、従来のように経年劣化に気付かないでシロアリに侵入されてしまう恐れもなくなる。
【００１１】
また、第一防蟻層が非加硫型粘着塑性体であると、第一防蟻層がコンクリート製の基礎と一体化するため、シロアリが基礎と埋設物との隙間から基礎の表面に沿って侵入するのを、より確実に防ぐことができる。
【００１２】
そして、基礎と埋設物との隙間から第一防蟻層の端部までの距離を少なくとも５０ｍｍにすると、シロアリが基礎と埋設物との隙間から第一防蟻層を侵食しつつ基礎の表面に沿って第一防蟻層の端部まで到達できないため、シロアリの侵入をより確実に防ぐことができる。
【００１３】
更に、第二防蟻層が硬度４０以上の合成ゴムシートであると、シロアリが第一防蟻層を食い破っても、その上に重なった上記合成ゴムシートを食い破ることができないため、基礎の表面と垂直方向のシロアリの侵入を一層確実に防ぐことができる。
【図面の簡単な説明】
【００１４】
【図１】本発明の一実施形態に係る防蟻構造を採用した基礎貫通配管の断面図である。
【図２】同防蟻構造を採用した基礎貫通配管の平面図である。
【図３】（ａ）は同防蟻構造の説明図、（ｂ）は基礎と埋設物との隙間を第一防蟻層のみで塞いだ防蟻構造の説明図、（ｃ）は基礎と埋設物との隙間を第二防蟻層のみで塞いだ防蟻構造の説明図である。
【図４】本発明の他の実施形態に係る防蟻構造の説明図である。
【図５】本発明の更に他の実施形態に係る防蟻構造を採用した基礎貫通配管の部分断面図である。
【図６】（ａ），（ｂ）は端部の形状がそれぞれ異なる防蟻シートの端部拡大断面図である。
【発明を実施するための形態】
【００１５】
以下、図面を参照して、本発明に係る防蟻構造の実施形態を説明する。
【００１６】
図１は本発明の一実施形態に係る防蟻構造を採用した基礎貫通配管の断面図、図２は同防蟻構造を採用した基礎貫通配管の平面図であって、１は建屋のコンクリート基礎、２は埋設物であるさや管、３はさや管２に挿通された挿通配管、４は蓋体、５ａは本発明の防蟻構造に用いる第一防蟻層、５ｂは本発明の防蟻構造に用いる第二防蟻層を示している。
【００１７】
埋設物であるさや管２は、図１に示すように、合成樹脂製の容器状の縦さや管部２ａと管状の横さや管部２ｂとからなるもので、横さや管部２ｂの上流側端が縦さや管部２ａの下部側面の接続口２ｃに差込み接続されることによって一体化されている。このさや管２は、コンクリート基礎１を貫通するようにコンクリート基礎１に埋設されており、縦さや管部２ａの上端の開口がコンクリート基礎１の屋内側の水平な表面１ａに露出すると共に、横さや管部２ｂの下流側端の開口がコンクリート基礎１の屋外側の側面１ｂに露出している。
【００１８】
上記さや管２には、合成樹脂製の挿通配管３が挿通されている。この挿通配管３は、二つの９０度大曲がりエルボ３ａ，３ｂと横管３ｃとからなるものであって、二つの９０度大曲がりエルボ３a，３ｂは、その上下に対向する接続口に差し込まれた短管３ｄを介して「Ｓ」字形に接続されており、横管３ｃの上流側端は、下側の９０度大曲がりエルボ３ｂの下流側端の接続口に差込み接続されている。そして、上側の９０度大曲がりエルボ３ａは、コンクリート基礎１の屋内側表面１ａの上方に突き出しており、この突き出した９０度大曲がりエルボ３ａの上流側端の接続口に、床下配管７の下流側端が差込み接続されている。また、横管３ｃの下流側端は、直管継手３ｅを介して屋外側排水管８の上流側端と接続されている。
【００１９】
さや管２の屋内側の開口端、即ち縦さや管部２ａの上端開口には、この上端開口における９０度大曲がりエルボ３ａとの隙間を塞ぐ合成樹脂製の蓋体４（９０度大曲がりエルボ３ａが突き出す貫通穴を有する蓋体４）が被着されており、蓋体４の上面とコンクリート基礎１の屋内側表面１ａが実質的に面一になっている。
【００２０】
この基礎貫通配管における埋設物のさや管２とその周囲のコンクリート基礎１との境界部分の隙間は、本発明の防蟻構造を採用することで、コンクリート基礎１の表面１ａにおいて、下側の第一防蟻層５ａと上側の第二防蟻層５ｂにより二重に塞がれている。即ち、この実施形態では、シロアリが食い破ることのできない第二防蟻層５ｂの下面に防蟻剤を含む接着性の第一防蟻層５ａを密着させて積層した防蟻シート５を用いて、コンクリート基礎１の表面１ａからさや管２（縦さや管部２ａ）の蓋体４に亘って被覆し、接着性の第一防蟻層５ａをコンクリート基礎１の表面１ａと蓋体４に密着させることで、さや管２（縦さや管部２ａ）とコンクリート基礎１との境界部分の隙間を防蟻シート５の第一防蟻層５ａと第二防蟻層５ｂによって二重に塞いでいる。この基礎貫通配管は、実質的に面一になっているコンクリート基礎１の表面１ａと蓋体４に防蟻シート５を密着させているが、コンクリート基礎１の表面１ａと蓋体４との間に段差がある場合でも、防蟻シート５を段差に沿わせて接着性の第一防蟻層５ａによりコンクリート基礎１の表面１ａと蓋体４に安定的にしっかりと密着できることは言うまでもない。
【００２１】
なお、第一防蟻層５ａと第二防蟻層５ｂを個別に準備し、最初に第一防蟻層５ａをコンクリート基礎１の表面１ａからさや管２の蓋体４に亘って被覆、密着させ、次いで第二防蟻層５ｂを第一防蟻層５ａの上に重ねて第一防蟻層５ａを第二防蟻層５ｂに密着させることにより、さや管２（縦さや管部２ａ）とコンクリート基礎１との隙間を二重に塞いでも勿論よい。
【００２２】
更に、この基礎貫通配管にあっては、図１に示すように、挿通配管３の横管３ｃとさや管２の横さや管部２ｂとの下流側端における隙間も、直管継手３ｅの外周に設けられたシーリングパッキン兼用のリング状の防蟻部材６によって、シロアリが侵入しないように塞がれている。
【００２３】
図３（ｂ）に示すように、コンクリート基礎１とさや管２（縦さや管部２ａ）との境界部分の隙間を、コンクリート基礎１の表面１ａからさや管２の蓋体４に亘って密着させた接着性の第一防蟻層５ａのみで塞ぐ場合は、シロアリがコンクリート基礎１とさや管２との隙間から、第一防蟻層５ａとコンクリート基礎１の表面１ａとの間、及び、第一防蟻層５ａと蓋体４との間を通って侵入するのを防ぐことはできるが、シロアリが第一防蟻層５ａを食い破ってコンクリート基礎１の表面と垂直方向に侵入するのを防ぐことはできない。
【００２４】
また、図３（ｃ）に示すように、コンクリート基礎１とさや管２（縦さや管部２ａ）との境界部分の隙間を、コンクリート基礎１の表面１ａからさや管２の蓋体４に亘って被覆した、シロアリが食い破ることのできない第二防蟻層５ｂのみで塞ぐ場合は、シロアリがコンクリート基礎１とさや管２との隙間から、第二防蟻層５ｂを食い破ってコンクリート基礎１の表面１ａと垂直方向に侵入するのを防ぐことはできるが、シロアリがコンクリート基礎１とさや管２との隙間から、第二防蟻層５ｂとコンクリート基礎１の表面１ａとの間、及び、第二防蟻層５ｂと蓋体４との間を通って侵入するのを防ぐことはできない。
【００２５】
これに対し、図３（ａ）に示すように、コンクリート基礎１とさや管２（縦さや管部２ａ）との境界部分の隙間を、防蟻シート５の接着性の第一防蟻層５ａとシロアリが食い破ることのできない第二防蟻層５ｂとで二重に塞ぎ、第一防蟻層５ａをコンクリート基礎１の表面１ａと蓋体４と第二防蟻層５ｂとに密着させた本発明の防蟻構造の場合は、シロアリがコンクリート基礎１とさや管２との隙間から、第一防蟻層５ａとコンクリート基礎１の表面１ａとの間、及び、第一防蟻層５ａと蓋体４との間を通って侵入することも、シロアリが第一防蟻層５ａと第二防蟻層５ｂを食い破ってコンクリート基礎１の表面と垂直方向に侵入することも、防止できる。
【００２６】
なお、シロアリが接着性の第一防蟻層５ａを侵食しながら、防蟻シート５とコンクリート基礎表面１ａとの間、および、防蟻シート５と蓋体４との間を通って防蟻シート５の端から屋内に侵入するのを一層確実に防止するため、図６（ａ）に示す防蟻シート５のように、シロアリが食い破ることのできない第二防蟻層５ｂで接着性の第一防蟻層５ａの端面まで被覆してもよく、また、図６（ｂ）に示す防蟻シート５のように、第一防蟻層５ａの端部の厚さを徐々に薄くして、第二防蟻層５ｂの端とコンクリート基礎１の表面１ａ（又は蓋体）との隙間をなくすか、或いは、該隙間をシロアリが通過できない程度の小さな隙間としてもよい。
【００２７】
また、図４に示すように、埋設物であるさや管２の上端がコンクリート基礎１の表面１ａから突き出している場合は、コンクリート基礎１の表面１ａからさや管２の突き出した外周面に亘って防蟻シート５で被覆し、第一防蟻層５ａをコンクリート基礎１の表面１ａとさや管２の外周面と第二防蟻層５ｂに密着させた状態で、コンクリート基礎１とさや管２との隙間を第一防蟻層５ａと第二防蟻層５ｂによって二重に塞ぐようにすればよい。このようにすると、シロアリがコンクリート基礎１とさや管２との隙間から、第一防蟻層５ａとコンクリート基礎１の表面１ａとの間、及び、第一防蟻層５ａとさや管２の外周面との間を通って侵入することも、シロアリが第一防蟻層５ａと第二防蟻層５ｂを食い破って侵入することも、防止できる。
【００２８】
なお、図３，図４において、中抜きの矢印はシロアリの侵入方向を表し、中抜きの「×」はシロアリが侵入できないことを表し、中抜きの「〇」はシロアリが侵入できることを表している。
前記の第一防蟻層５ａは、防蟻剤（例えば、ホウ酸、ホウ酸誘導体、ホウ酸化合物や、除虫菊に代表されるピレスロイド薬剤など。）を含み、コンクリート基礎１の表面１ａと反応して一体化するシート状の非加硫型粘着塑性体で形成することが好ましい。そのような非加硫型粘着塑性体の代表例としては、コンクリートとの接着性を有するイソブテンとイソプレンのゴム状共重合体であるブチルゴムを再生化したブチル再生ゴムを主成分とし、当該ブチル再生ゴムを単独もしくは、天然ゴムあるいはスチレンブタジエンゴム、アクリルニトリルゴム等の合成ゴムの１種もしくは２種以上のブレンドを行なったポリマーを主成分とし、粘着付与材、補強材、充填剤、軟化剤、老化防止剤等を混合成型してなる非加硫型粘着塑性体を挙げることができる。この第一防蟻層５ａは第二防蟻層５ｂの下面全体に亘って配置され、第二防蟻層５ｂと密着する必要がある。
【００２９】
第一防蟻層５ａを防蟻剤入りの上記非加硫型粘着塑性体で形成すると、第一防蟻層５ａがコンクリート基礎１の表面１ａと反応、一体化してコンクリート基礎１の表面１ａから剥離することがないので、シロアリが第一防蟻層５ａとコンクリート基礎１の表面１ａとの間を通って侵入するのを一層確実に防止でき、また、非加硫型粘着塑性体は合成樹脂製の蓋体４やさや管２（縦さや管部２ａ）との密着性にも優れているので、シロアリが第一防蟻層５ａと蓋体４やさや管２との間を通って侵入するのも一層確実に防止できる。
なお、第一防蟻層５ａは、防蟻剤を含んだシーリング材や接着剤で形成してもよい。
【００３０】
第一防蟻層５ａの厚さは特に限定されないが、コンクリート基礎１の表面１ａと一体化させること、第二防蟻層５ｂをコンクリート基礎１の表面１ａやさや管２の蓋体４に密着させることなどを考慮すると、１ｍｍ以上が好ましく、シロアリが接着防蟻層５ｂを食い破って侵入しようとすることを考慮すると厚い方がよいので、２ｍｍ以上であるとより好ましい。なお、第一防蟻層５ａの厚さの上限は５ｍｍ程度であり、それ以上厚くしても材料の無駄使いとなる。
【００３１】
前記の第二防蟻層５ｂは、シロアリが食い破ることのできない層であり、例えば、硬度（ＪＩＳ  Ｋ  ６２５３によるタイプＡデュロメーターの硬度）が４０以上の合成ゴムシートで形成することが好ましい。このような合成ゴムシートからなる第二防蟻層５ｂは、厚くなるほどシロアリの食害をより確実に阻止して侵入を防ぐことができるが、施工性、コストなどを考慮すると、その厚さを１〜５ｍｍ程度、特に３ｍｍ前後とするのが好ましい。第二防蟻層５ｂは、シロアリが食い破ることのできない金属製シートや合成樹脂製シート、或いは、シロアリが通り抜けできないメッシュ状の金属製シートなどで形成しても勿論よいが、取扱性、施工性、コストなどを考慮すると、上記の合成ゴムシートで形成することがベストである。
【００３２】
この実施形態では、第一防蟻層５ａを第二防蟻層５ｂの下面に積層した防蟻シート５として、図１，図２に示すように、挿通配管３の９０度大曲がりエルボ３ａが突き出す貫通穴５ｃを形成した、蓋体４よりも面積がかなり大きい方形の防蟻シートを使用しているが、防蟻シート５の平面形状及び大きさは、さや管２の縦さや管部２ａとその周囲のコンクリート基礎１との境界部分の隙間（コンクリート基礎１の表面１ａにおける境界部分の隙間）を覆うことができる平面形状及び大きさであれば特に限定されるものではなく、例えば、蓋体４より一回り大きい相似形状とするなど、所望の平面形状および大きさとなし得るものである。但し、シロアリが防蟻シート５の第一防蟻層５ａとコンクリート基礎１の表面１ａとの間、及び、防蟻シート５の第一防蟻層５ａと蓋体４との間を通って屋内に侵入するのをより確実に防止することを考慮すれば、防蟻シート５の平面形状及び大きさ（換言すれば第一防蟻層５ａと第二防蟻層５ｂの平面形状及び大きさ）は、上記境界部分の隙間から防蟻シート５のコンクリート基礎１側の端部までの最短距離、及び、上記境界部分の隙間から防蟻シート５の蓋体４側の端部までの最短距離が、いずれも少なくとも５０ｍｍ以上、好ましくは８０ｍｍ以上、更に好ましくは１００ｍｍ以上となるような平面形状及び大きさとすることが重要である。
【００３３】
また、図５に示すように、防蟻シート５の蓋体４側の端部を延長し、この延長端部５ｄの第一防蟻層５ａを挿通配管３の９０度大曲がりエルボ３ａの外周面に密着させることも好ましく、このようにすると、コンクリート基礎１の表面１ａから蓋体４を経て挿通配管３（９０度大曲がりエルボ３ａ）の外周面に至るまで、連続した防蟻シート５の第一防蟻層５ａと第二防蟻層５ｂによって切れ目なく二重に覆われるため、一層確実にシロアリの侵入を防止できる利点がある。図５に示すような防蟻構造は、接着性の第一防蟻層５ａの上に第二防蟻層５ｂを重ねた防蟻シート５を用いるからこそ、施工が可能になるのである。
【００３４】
以上の説明から理解できるように、本発明の防蟻構造は、防蟻シート５の第一防蟻層５ａと第二防蟻層５ｂによって、コンクリート基礎１と埋設物のさや管２（縦さや管部２ａ）との隙間からのシロアリの侵入を確実に防ぐことができる。しかも、防蟻シート５は上記隙間を塞ぐようにコンクリート基礎１の表面１ａからさや管２の蓋体４に亘って設けられているため、外部から防蟻シート５の第一防蟻層５ａと第二防蟻層５ｂの経年劣化の状態を肉眼で視認することが可能であり、経年劣化が進んでいることが判れば、新しい防蟻シート５に簡単に交換することができる。従って、本発明の防蟻構造はメンテナンスも容易であり、従来のように経年劣化に気付かないでシロアリに侵入されてしまう恐れを解消することができる。
【符号の説明】
【００３５】
１    コンクリート基礎
１ａ  コンクリート基礎の屋内側の表面
２    さや管（埋設物）
２ａ  縦さや管部
２ｂ  横さや管部
３    挿通配管
３ａ，３ｂ  ９０度大曲がりエルボ
３ｃ  横管
３ｅ  直管継手
４    さや管の蓋体
５    防蟻シート
５ａ  第一防蟻層
５ｂ  第二防蟻層
５ｄ  延長端部
７    床下配管
８    屋外側排水管
【図１】
2014074274.tif 000003
【図２】
2014074274.tif 000004
【図３】
2014074274.tif 000005
【図４】
2014074274.tif 000006
【図５】
2014074274.tif 000007
【図６】
2014074274.tif 000008